(57)【要約】【課題】蓋体を機器本体に対して制限なく自由に反転（回動）でき、かつ蓋体の反転による電気的接続不良が生じない電子機器を提供すること。【解決手段】機器本体１と、蓋体２と、蓋体２を機器本体１に開閉可能に取り付けるヒンジ部３と、機器本体１と蓋体２とを電気的に接続可能とする電気的接続部とを備える。ヒンジ部３は、蓋体２を開閉させる方向に揺動可能として機器本体１に取り付けられた揺動軸部と、この揺動軸部の第１軸心Ｐ１と略直交する第２軸心Ｐ２廻りに蓋体２を回動可能として揺動軸部に連結する回動軸部とを有する。電気的接続部は、機器本体１に設けられた本体側コネクタ部と、蓋体２に設けられ、少なくとも蓋体２が第１軸心Ｐ１に対して略平行な状態では本体側コネクタ部と電気的に接触可能な蓋体側コネクタ部４３とを有する。【選択図】  図６
2004258999.tif 000002
【特許請求の範囲】
【請求項１】
操作部を有する機器本体と、表示部を有する蓋体と、この蓋体を機器本体に開閉可能に取り付けるヒンジ部と、機器本体と蓋体とを電気的に接続可能とする電気的接続部とを備え、
前記ヒンジ部が、蓋体を開閉させる方向に揺動可能として機器本体に取り付けられた揺動軸部と、この揺動軸部の第１軸心と略直交する第２軸心廻りに蓋体を回動可能として揺動軸部に連結する回動軸部とを有し、
前記電気的接続部が、機器本体に設けられた本体側コネクタ部と、蓋体に設けられ、少なくとも蓋体が第１軸心に対して略平行な状態では前記本体側コネクタ部と電気的に接触可能な蓋体側コネクタ部とを有することを特徴とする電子機器。
【請求項２】
電気的接続部は、蓋体が第１軸心に対して傾いた状態では本体側コネクタ部と蓋体側コネクタ部とは電気的に非接触となる請求項１に記載の電子機器。
【請求項３】
機器本体は、ヒンジ部取付側である後端縁の左右両側に、上部が断面半円形のヒンジ部取付用の左突条部及び右突条部を有し、
本体側コネクタ部が、第２軸心から略等しい距離で前記左突条部及び右突条部にそれぞれ配置された左コネクタ及び右コネクタとからなり、
蓋体側コネクタ部が、ヒンジ部取付側である基端縁の左側と右側のうちの少なくとも一方に、かつ第２軸心から前記距離と略等しい距離に配置されている請求項１又は２に記載の電子機器。
【請求項４】
本体側コネクタ部の左コネクタ及び右コネクタは、それぞれ１つ又は左右に並列する複数の板状端子からなり、前記蓋体側コネクタ部は、前記左コネクタ又は右コネクタの１つ又は複数の板状端子に対応して電気的に接触する１つ又は左右に並列する複数のコネクタピンからなる請求項３に記載の電子機器。
【請求項５】
板状端子が、左右の各突条部の外面における第１軸心廻りの方向の所定範囲に帯形に形成された請求項３又は４に記載の電子機器。
【請求項６】
表示部が、タッチパネルである請求項１〜５の何れか１つに記載の電子機器。
【発明の詳細な説明】
【０００１】
【発明の属する技術分野】
本発明は、電子機器に関し、さらに詳しくは、情報端末（以下ＰＤＡと称する）やノートパソコン等の小型電子機器に関する。
【０００２】
【従来の技術】
ＰＤＡやノートパソコン等の小型電子機器としては、機器本体に多数のキーからなる操作部が配置され、内面側に液晶表示パネルからなる表示部を有する蓋体が機器本体にヒンジ部を介して開閉可能に取り付けられているものが広く使用されている。このような小型電子機器では、リード線あるいはＦＰＣ（フレキシブル・プリント・サーキット）を用いて機器本体と蓋体とを電気的に接続する電気的接続構造（例えば、特許文献１参照）が一般的に採用されている。また、ヒンジ対応型又はヒンジ一体型のコネクタによる電気的接続構造（例えば、特許文献２参照）も提案されている。
【０００３】
【特許文献１】
実開平２−３５２１９
特開平１０−４９２５６
【特許文献２】
実開平５−８７６２６号公報
【０００４】
【発明が解決しようとする課題】
しかしながら、上記特許文献１、２の電気的接続構造を有する電子機器では、使用者がその向かいに座る相手に表示部の画面を見せる際には、機器全体をいちいち反転させなければならず面倒であり、さらに電源ケーブルやＬＡＮケーブル等を接続していればそれらが邪魔して動かせない場合もあった。また最近では、表示部にペンを使って入力するタイプの電子機器も実用化されてきており、ペン入力の使い勝手を向上させるために表示部を反転して外側に向けた状態で折り畳めることが望まれていた。
【０００５】
本発明の主要な目的の一つは、蓋体を機器本体に対して制限なく自由に反転（回動）でき、かつ蓋体の反転による電気的接続不良が生じない電子機器を提供することにある。
【０００６】
【課題を解決するための手段】
かくして、本発明によれば、操作部を有する機器本体と、表示部を有する蓋体と、この蓋体を機器本体に開閉可能に取り付けるヒンジ部と、機器本体と蓋体とを電気的に接続可能とする電気的接続部とを備え、
前記ヒンジ部が、蓋体を開閉させる方向に揺動可能として機器本体に取り付けられた揺動軸部と、この揺動軸部の第１軸心と略直交する第２軸心廻りに蓋体を回動可能として揺動軸部に連結する回動軸部とを有し、
前記電気的接続部が、機器本体に設けられた本体側コネクタ部と、蓋体に設けられ、少なくとも蓋体が第１軸心に対して略平行な状態では前記本体側コネクタ部と電気的に接触可能な蓋体側コネクタ部とを有する電子機器が提供される。
【０００７】
即ち、本発明の電子機器は、ヒンジ部によって蓋体を機器本体に対して左右方向のどちらにでも自由に回動（３６０°以上首振り）させることができ、かつ表示部が操作部側（内側）に向いた通常状態でも、表示部が操作部と反対側（外側）に向いた反転状態でも、電気的接続部の本体側コネクタ部と蓋体側コネクタ部とが接触して機器本体と蓋体とが電気的に接続して表示部が作動可能である。したがって、普通に蓋体を開けた状態での使用、例えば表示部を内側（使用者側）に向けて蓋体を展開した状態（機器本体に対して略１８０°）や、蓋体を起立させた状態（機器本体に対して略９０°）などの使用はもちろんのこと、表示部を外側に１８０°反転させた状態での使用、例えば表示部を外側に向けて蓋体を閉じた（折り畳んだ）状態や、蓋体を起立させた状態（機器本体に対して略９０°）などの使用も可能である。
また、機器本体と蓋体との電気的接続は、リード線やＦＰＣを用いない構造であるため、リード線やＦＰＣによって蓋体の左右方向への回動（首振り）角度が制約されることはなく、また断線や断線による電気的接続不良といったトラブルも生じない。
【０００８】
本発明が対象とする電子機器は、上述したように、操作部を有する機器本体に、表示部を有する蓋体が開閉可能に取り付けられるものであって、具体的には、例えばＰＤＡ、ノートパソコン、電子辞書、ポータブルＤＶＤ、携帯電話等の各種小型電子機器が挙げられる。
【０００９】
本発明において、電気的接続部は、蓋体が第１軸心に対して傾いた状態では本体側コネクタ部と蓋体側コネクタ部とは電気的に非接触となるように構成してもよい。つまり、表示部を内向きから外向きへあるいは外向きから内向きへ変える場合に蓋体を機器本体に対して第２軸心廻りに略１８０°回動させるに際して、蓋体を回動させている間の状態では本体側コネクタ部と蓋体側コネクタ部との電気的接続が遮断されるように構成することにより、この間の表示部への通電を停止することができ、省電力化を図ることができる。
【００１０】
本発明において、機器本体は、ヒンジ部取付側である後端縁の左右両側に、上部が断面半円形のヒンジ部取付用の左突条部及び右突条部を有し、
本体側コネクタ部が、第２軸心から略等しい距離で前記左突条部及び右突条部にそれぞれ配置された左コネクタ及び右コネクタとからなり、
蓋体側コネクタ部が、ヒンジ部取付側である基端縁の左側と右側のうちの少なくとも一方に、かつ第２軸心から前記距離と略等しい距離に配置されているようにしてもよい。
このように構成すれば、蓋体が第１軸心に対して略平行な状態で本体側コネクタ部と接触し、蓋体が第１軸心に対して傾いた状態で本体側コネクタ部から非接触となる電気的接続部の構造を、ヒンジ部に干渉することなく簡素に構成することができる。
【００１１】
本発明において、本体側コネクタ部の左コネクタ及び右コネクタは、それぞれ１つ又は左右に並列する複数の板状端子からなり、蓋体側コネクタ部は、前記左コネクタ又は右コネクタの１つ又は複数の板状端子に対応して電気的に接触する１つ又は左右に並列する複数のコネクタピンからなるものであってもよい。
このように構成すれば、表示部を内向き又は外向きに変えるに際して、本体側コネクタ部の左コネクタ又は右コネクタに、蓋体を略１８０°回動させることにより１つの蓋体側コネクタ部を共用して電気的に接続することができ、電気的接続部の構成を簡素化することができる。また、移動側である蓋体側コネクタ部をコネクタピンにて構成することにより、静止側である本体側コネクタ部の板状端子へコネクタピンをスムースに接触・離脱させることができる。
【００１２】
本発明において、板状端子が、左右の各突条部の外面における第１軸心廻りの方向の所定範囲に帯形に形成されたものとすれば、蓋体が第１軸心に対して略平行な状態（表示部が内側を向いた通常位置及び約１８０°外側を向いた反転位置）にあれば、蓋体を完全に閉じた折り畳み状態から限界まで開いた展開状態の間の所望の揺動範囲内で、体側コネクタと蓋体側コネクタとを接触させて表示部を作動させることができる。したがって、表示部が見えないあるいは見え難い揺動範囲では電気的接続を遮断するように板状端子の範囲を設定すれば、無駄な電気消費を防止することができる。また、表示部を外側に向けた場合は、そのまま折り畳んで使用することもできる。したがって、表示部がタッチパネルであれば、蓋体を折り畳んだコンパクトな状態で、例えばペン入力できる使い勝手の良好な電子機器を得ることができる。
【００１３】
【発明の実施の形態】
以下、本発明に係る電子機器の実施の形態を図面に基づいて詳説する。なお、本発明は実施の形態に限定されるものではない。
【００１４】
［実施の形態１］
図１は本発明に係る電子機器の実施の形態１を示す折り畳み状態の斜視図であり、図２は同実施の形態１の電子機器の展開状態を示す斜視図であり、図３は同実施の形態１における蓋体を示す斜視図であり、図４は図２におけるヒンジ部周辺の側断面図であり、図５は同実施の形態１におけるヒンジ部の内部構造を示す斜視図であり、図６は同実施の形態１における電子機器を回動軸部心廻りに回転する状態を示す斜視図であり、図７は同実施の形態１における電子機器を回動軸部心廻りに１８０°反転させて折り畳んだ状態を示す斜視図であり、図８は図７におけるヒンジ部周辺の側断面図である。なお、実施の形態１では電子機器としてＰＤＡの場合を例示している。
【００１５】
この実施の形態１のＰＤＡは、操作部１１を有する機器本体１と、表示部２１を有する蓋体２と、この蓋体２を機器本体１に開閉可能に取り付けるヒンジ部３と、機器本体１と蓋体２とを電気的に接続可能とする電気的接続部とを備えている。
【００１６】
機器本体１は、プラスチック製の上カバー１２と下カバー１３とからなる方形の本体ケーシングと、本体ケーシング内に設けられ、機器本体１の回路を構成する演算素子等を有するＰＷＢ（プリント配線基板）１４と、本体ケーシング内に設けられた図示しないバッテリと、上カバー１２の上方開口部に配置された複数のキー及び電源スイッチを有する上記操作部１１とを備える。また、上カバー１２のヒンジ部取付側である後端縁の左右側には、上部が断面半円形（全体として断面トンネル形）のヒンジ部取付用の左突条部１５及び右突条部１６が設けられている。
【００１７】
蓋体２は、プラスチック製の内カバー２２と外カバー２３とからなる方形の蓋体ケーシングと、蓋体ケーシング内に設けられ、蓋体２の回路を構成するＰＷＢ２４と、内カバー２２の開口部に配置された液晶パネルからなる上記表示部２１とを備える。
【００１８】
ヒンジ部３は、ヒンジユニット３１と、ヒンジユニット３１を覆うヒンジカバー３２とからなる。ヒンジユニット３１は、蓋体２を開閉させる方向（矢印Ａ）に揺動自在として機器本体１に取り付けられた揺動軸部３３と、この揺動軸部３３の第１軸心Ｐ１と直交する第２軸心Ｐ２廻りに蓋体２を回動自在として揺動軸部３３に連結する回動軸部３４とを有する。
【００１９】
揺動軸部３３は、ヒンジカバー３２の左右側壁、機器本体１の左右の各突条部１５、１６の右側壁及び左側壁を貫通する軸本体３３ａと、左右の各突条部１５、１６の内部で図示しない固定部材に固定され、軸本体３３ａの両端を回転自在に枢支する左右一対の固定部３３ｂとを有し、軸本体３３ａの軸方向中間位置は左右の軸部よりも太く直方体形に形成されている。
回動軸部３４は、揺動軸部３３の軸方向中間位置を直交する上記第２軸心Ｐ２上に配置され、一端が回動軸取付部３３ｃに抜け止めされて回転自在に枢着された軸本体３４ａと、軸本体３４ａの他端に第２軸心Ｐ２と直交して連設され、蓋体２の内部で図示しない固定部材に固定された蓋体取付片３４ｂとからなる。
【００２０】
ヒンジユニット３１を覆うヒンジカバー３２は、蓋体２と略等しい厚みで、かつ全体が左右の突条部１５、１６と略等しい外観形状に形成されており、揺動軸部３３側に湾曲面を有し、回動軸部３４側に蓋体２のヒンジ取付側である基端面と平行に近接する平坦面を有し、左右にトンネル形の左右側壁を有している。ヒンジユニット３１は、揺動軸部３３の左右の軸部がヒンジカバー３２の左右側壁に設けられた孔部を回転自在に挿通し、回動軸部３４の軸本体３４ａがヒンジカバー３２の平坦面に設けられた孔部を回転自在に挿通した状態で、ヒンジカバー３２の内部に収納される。
【００２１】
このように構成されたヒンジ部３にて機器本体１に取り付けられた蓋体２は、機器本体１に対して、第１軸心Ｐ１廻り（矢印Ａ方向）に揺動開閉自在であり（図１、図２参照）、かつ第２軸心Ｐ２廻り（矢印Ｂ方向）に３６０°以上回動自在である。なお、ヒンジ部３の第２軸心Ｐ２は、機器本体１及び蓋体２の左右幅の略中間位置を通っている。
【００２２】
電気的接続部は機器本体１の左突条部１５及び右突条部１６にそれぞれ配置された左コネクタ４１及び右コネクタ４２とからなる本体側コネクタ部と、蓋体２に設けられ、蓋体２が第１軸心Ｐ１に対して略平行な状態で本体側コネクタ部と接触し、かつ蓋体２が第１軸心Ｐ１に対して傾いた状態で本体側コネクタ部から非接触となる蓋体側コネクタ部４３とを有している。
【００２３】
左コネクタ４１は、左突条部１５の前面に左右方向に定間隔で並列した複数の板状端子４１ａ、４１ａ…からなる。具体的には、左突条部１５の壁部（上カバー１２の下カバー１３との境界部分）に定間隔で複数形成された矩形孔部に、壁部前面と略同一面上に各板状端子４１ａの一端側が嵌め込まれ、各板状端子４１ａの他端側は内方へ折り曲げられている。また、左突条部１５の前面と略同一面上に配置される各板状端子４１ａの外部露出部分は、第２軸心Ｐ２を中心として所定角度θ１（この場合５０°程度）の範囲であって、表示部２１を外側に向けて蓋体２が完全に閉じた状態において蓋体側コネクタ部４３の後述するコネクタピン４３ａが板状端子４１ａの上下方向略中間に当接するように形成されている（図８参照）。
一方、右コネクタ４２は、右突条部１６の後面に左右方向に、かつ左突条部１５の複数の板状端子４１ａ、４１ａ…と同じ定間隔で並列した複数の板状端子４２ａ、４２…からａ…からなる。具体的には、右突条部１６の壁部に定間隔で複数形成された矩形孔部に壁部後面と略同一面上に各板状端子４２ａの一端側が嵌め込まれ、各板状端子４２ａの他端側は内方へ折り曲げられている。また、右突条部１６の後面と略同一面上に配置される各板状端子４２ａの外部露出部分は、第２軸心Ｐ２を中心として所定角度θ１（この場合５０°程度）の範囲であって、蓋体２が完全に開いた状態において蓋体側コネクタ部４３の後述するコネクタピン４３ａが板状端子４２ａの上下方向略中間に当接するように形成されている（図４参照）。
【００２４】
また、左コネクタ４１の板状端子４１ａの数と右コネクタ４２の板状端子４２ａの数は同数であり、左コネクタ４１の複数の板状端子４１ａ、４１ａ…の左右方向中間位置と第２軸心Ｐ２との間隔Ｄ１と、右コネクタ４２の複数の板状端子４２ａ、４２ａ…の左右方向中間位置と第２軸心Ｐ２との間隔Ｄ２とは等しく設定されている。また、左コネクタ４１の各板状端子４１ａの電気的信号ラインの番号を機器外側から１、２、……ｎとつけた場合、右コネクタ４２の各板状端子４２ａの電気的信号ラインの番号も機器外側から１、２、……ｎとされている。板状端子４１ａと板状端子４２ａの同じ番号の信号ラインは電気的にも同じラインである。左コネクタ４１の各板状端子４１ａと右コネクタ４２の各板状端子４２ａは、内方へ折り曲げれた各端部がリード線４６を半田付４４してＰＷＢ１４と電気的に接続されている。
【００２５】
蓋体側コネクタ部４３は、表示部２１が前方を向いた状態で見て、蓋体２の基端面の右側に設けられた、左コネクタ４１の板状端子４１ａの数（又は右コネクタ４２の板状端子４２ａの数）と同数のコネクタピン４３ａからなる。これら複数のコネクタピン４３ａは、左コネクタ４１及び右コネクタ４２の場合と同様に定間隔で配列され、これらの左右方向中間位置と第２軸心Ｐ２との間隔Ｄ３は、左コネクタ４１・右コネクタ４２と第２軸心Ｐ２との間隔Ｄ１、Ｄ２と略等しく設定されている。また、各コネクタピン４３ａの電気的信号ラインの番号は、左コネクタ４１及び右コネクタ４２の場合と同様に、機器外側から１、２、……ｎとされている。各コネクタピン４３ａの基端は、内部にコイルスプリングを有する複数の金属筒部材４５内に挿入され、各コネクタピン４３ａの先端は、前記コイルスプリングによる弾発力によって押圧されて蓋体２のケーシングに設けられた孔部を通って外部に僅かに突出する。また、各コネクタピン４３ａを保持する各金属筒部材４５は図示しない半田付を介してＰＷＢ２４に電気的に接続されている。
【００２６】
このように構成された電気的接続部は、蓋体２（表示部２１）が第１軸心Ｐ１に対して略平行な状態にあるとき、本体側コネクタ部の左コネクタ４１の各板状端子４１ａ又は右コネクタ４２の各板状端子４２ａに、蓋体側コネクタ部４３の各コネクタピン４３ａが接触して電気的に接続可能で、かつ蓋体２が第１軸心Ｐ１に対して傾いた状態となると、蓋体側コネクタ部４３が本体側コネクタ部から離間して非接触となり、電気的接続状態が遮断される。
具体的に説明すると、本実施の形態１の場合、図１の折り畳み状態（未使用状態）では、蓋体２と第１軸心Ｐ１とは略平行な状態にあるが、蓋体２の蓋体側コネクタ部４３の各コネクタピン４３ａは、機器本体１の右突条部１６の前面に当接しているため電気的接続状態は遮断されている。この状態から図２に示すごとく蓋体２を第１軸心Ｐ１廻り（矢印Ａ方向）に１８０°程度展開すると、図４に示すように各コネクタピン４３ａは右突条部１６の後面の右コネクタ４２の各板状端子４２ａにそれぞれ当接して電気的に接続する。このとき、蓋体２と第１軸心Ｐ１とは略平行な状態のままである。また、この状態から図６に示すように蓋体２を第２軸心Ｐ２廻り（矢印Ｂ方向）に回動していくと、蓋体２が第１軸心Ｐ１に対して傾いた状態となり、各コネクタピン４３ａは右コネクタ４２から非接触となって電気的接続が遮断されるが、表示部２１が裏側になるまで蓋体２を約１８０°回動して蓋体２を第１軸心Ｐ１と略平行な状態に戻し、次いで第１軸心Ｐ１廻り（矢印Ａ方向）に１８０°程度揺動して折り畳むと、図７と図８に示すごとく各コネクタピン４３ａは左突条部１５の前面の左コネクタ４１の各板状端子４１ａにそれぞれ当接して電気的に接続する。
【００２７】
このように本発明の電子機器は、機器本体１の電源がＯＮであれば、図２と図４に示すように、▲１▼蓋体２を展開して（開けて）蓋体側コネクタ部４３が本体側コネクタ部の右コネクタ４２に電気的に接続すると表示部２１が作動し、通常の使用状態でＰＤＡを使用することができる。また、機器本体１の電源がＯＮであれば、図７と図８に示すように、▲２▼表示部２１を外側に向けた状態で蓋体２を折り畳んで（閉じて）蓋体側コネクタ部４３が本体側コネクタ部の左コネクタ４１に電気的に接続すると表示部２１が作動し、コンパクトな状態で表示部２１に画像を表示させることができる。なお、表示部２１をタッチパネルとすれば、操作部１１が蓋部２によって隠されていても外側の表示部２１をペンや指等にて操作して使用することができる。
一方、蓋体２が上記▲１▼▲２▼の使用状態にないとき（本体側コネクタ部と蓋体側コネクタ部４３とが電気的に非接続状態のとき）は、表示部２１が通電されず省電力化が図られる。
また、蓋体２を機器本体１に対して右廻りでも左廻りでもどれだけの角度を回転させても、本体側コネクタ部と蓋体側コネクタ部４３との接触により電気的接続を確保する構造であるため、断線による電気的接続不良が発生しない。
【００２８】
［実施の形態２］
図９は本発明に係る電子機器の実施の形態２を示す要部断面図であって、表示部を内側へ向けて蓋体を閉じた状態を表し、図１０は図９の状態から蓋体を開けていく状態を示す要部断面図である。なお、図９と図１０において、実施の形態１と同一の要素には同一の符号を付し、その説明を省略する。
【００２９】
この実施の形態２の電子機器（ＰＤＡ）は、図示しない左コネクタの各板状端子及び右コネクタ５２の板状端子５２ａが、左右の各突条部１５、１６の外面における第１軸心Ｐ１廻りの方向に、上記実施の形態１よりも大きな角度θ２（この場合１７０°程度）の範囲で帯形に形成されたものであり、その他の構成は実施の形態１と同様である。
【００３０】
具体的に説明すると、右コネクタ５２の各板状端子５２ａは、その外部に露出する一端側が、第１軸心Ｐ１を中心として右突条部１６の前面上部から上記角度θ２の範囲にわたって後面まで形成され、他端側は内方へ折り曲げられてリード線４６に電気的に接続されている。一方、図示しない左コネクタの各板状端子は、その外部に露出する一端側が、第１軸心Ｐ１を中心として左突条部の後面上部から上記角度θ２の範囲にわたって前面まで形成され、他端側は内方へ折り曲げられてリード線に電気的に接続されている。
【００３１】
このように構成された実施の形態２によれば、図９に示すような表示部２１が内側を向いた折り畳み状態から、図１０に示すごとく蓋体２を第１軸心Ｐ１廻りに開けていくと、蓋体２が機器本体１に対して９０°に起立する手前で蓋体側コネクタ４３の各コネクタピン４３ａが右コネクタ５２の各板状端子５２ａに接触して電気的に接続され、表示部２１が作動する。また、表示部２１が外側を向いた状態のときは、蓋部２が展開した状態から第１軸心Ｐ１廻りに閉じていく際に９０°手前で蓋体側コネクタ４３の各コネクタピン４３ａが左コネクタの各板状端子に接触して電気的に接続され、表示部２１が作動する。したがって、この実施の形態２では、実施の形態１の使用状態（図２、図７参照）に加えて、表示部２１を内側向きあるいは外側向きとして蓋体２を起立させて使用することができる。
【００３２】
［実施の形態３］
図１１は本発明に係る電子機器の実施の形態３を示す要部断面図であって、表示部を外側へ向けて蓋体を閉じた状態を表し、図１２は図１１の状態から蓋体を開けていく状態を示す要部断面図である。なお、図１１と図１２において、実施の形態１と同一の要素には同一の符号を付し、その説明を省略する。
【００３３】
この実施の形態３の電子機器（ＰＤＡ）は、左コネクタ６１の各板状端子６１ａ及び図示しない右コネクタの板状端子が、左右の各突条部１５、１６の外面における第１軸心Ｐ１廻りの方向に、上記実施の形態１、２よりも大きな角度θ３（この場合２２０°程度）の範囲で帯形に形成されたものであり、その他の構成は実施の形態１と同様である。
【００３４】
具体的に説明すると、左コネクタ６１の各板状端子６１ａは、その外部に露出する一端側が、第１軸心Ｐ１を中心として左突条部１５の後面から上記角度θ３の範囲にわたって前面まで形成され、他端側は内方へ折り曲げられてリード線４６に電気的に接続されている。一方、図示しない右コネクタの各板状端子は、その外部に露出する一端側が、第１軸心Ｐ１を中心として右突条部１６の前面から上記角度θ３の範囲にわたって後面まで形成され、他端側は内方へ折り曲げられてリード線に電気的に接続されている。つまり、実施の形態３の場合、左右のコネクタの各板状端子は、蓋体２が第１軸心Ｐ１廻りに略１８０°揺動（開閉）する範囲を上回る範囲に形成されている。
【００３５】
このように構成された実施の形態３によれば、図９と図１０に示すように、蓋体２が第１軸心Ｐ１と略平行な状態にあるとき、すなわち表示部２１が内側又は外側に向いている状態にあるときは、蓋体２の第１軸心Ｐ１廻りの揺動角度（蓋体２の開き度合い）に関係なく常に蓋体側コネクタ部４３の各コネクタピン４３ａが右コネクタの各板状端子又は左コネクタ６１の各板状端子６１ａに接触した電気的接続状態（表示部２１の作動可能状態）にあり、表示部２１を好みの角度に傾けて使用することができる。
【００３６】
【発明の効果】
本発明の電子機器は、例えばＰＤＡ、ノートパソコン、電子辞書、ポータブルＤＶＤ、携帯電話などの表示部を有する蓋体が機器本体に開閉可能に取り付けられた各種小型電子機器に適用することができるものであり、ヒンジ部によって蓋体を機器本体に対して左右方向のどちらにでも自由に回動（３６０°以上首振り）させることができ、かつ表示部が操作部側（内側）に向いた通常状態でも、表示部が操作部と反対側（外側）に向いた反転状態でも、電気的接続部の本体側コネクタ部と蓋体側コネクタ部とが接触して機器本体と蓋体とが電気的に接続して表示部が作動可能である。したがって、普通に蓋体を開けた状態での使用、例えば表示部を内側（使用者側）に向けて蓋体を展開した状態（機器本体に対して略１８０°）や、蓋体を起立させた状態（機器本体に対して略９０°）などの使用はもちろんのこと、表示部を外側に１８０°反転させた状態での使用、例えば表示部を外側に向けて蓋体を閉じた（折り畳んだ）状態や、蓋体を起立させた状態（機器本体に対して略９０°）などの使用も可能である。
また、機器本体と蓋体との電気的接続は、リード線やＦＰＣを用いない構造であるため、リード線やＦＰＣによって蓋体の左右方向への回動（首振り）角度が制約されることはなく、また断線や断線による電気的接続不良といったトラブルも生じない。
【図面の簡単な説明】
【図１】本発明に係る電子機器の実施の形態１を示す折り畳み状態の斜視図である。
【図２】同実施の形態１の電子機器の展開状態を示す斜視図である。
【図３】同実施の形態１における蓋体を示す斜視図である。
【図４】図２におけるヒンジ部周辺の側断面図である。
【図５】同実施の形態１におけるヒンジ部の内部構造を示す斜視図である。
【図６】同実施の形態１における電子機器を回動軸部心廻りに回転する状態を示す斜視図である。
【図７】同実施の形態１における電子機器を回動軸部心廻りに１８０°反転させて折り畳んだ状態を示す斜視図である。
【図８】図７におけるヒンジ部周辺の側断面図である。
【図９】本発明に係る電子機器の実施の形態２を示す要部断面図であって、表示部を内側へ向けて蓋体を閉じた状態を表す。
【図１０】図９の状態から蓋体を開けていく状態を示す要部断面図である。
【図１１】本発明に係る電子機器の実施の形態３を示す要部断面図であって、表示部を外側へ向けて蓋体を閉じた状態を表す。
【図１２】図１１の状態から蓋体を開けていく状態を示す要部断面図である。
【符号の説明】
１  機器本体
２  蓋体
３  ヒンジ部
１１  操作部
２１  表示部
３３  揺動軸部
３４  回動軸部
４３  蓋体側コネクタ部
Ｐ１  第１軸心
Ｐ２  第２軸心
【図１】
2004258999.tif 000003
【図２】
2004258999.tif 000004
【図３】
2004258999.tif 000005
【図４】
2004258999.tif 000006
【図５】
2004258999.tif 000007
【図６】
2004258999.tif 000008
【図７】
2004258999.tif 000009
【図８】
2004258999.tif 000010
【図９】
2004258999.tif 000011
【図１０】
2004258999.tif 000012
【図１１】
2004258999.tif 000013
【図１２】
2004258999.tif 000014